(57)【要約】    【課題】  映像を短時間で切替えることができる表示装置及び表示方法を提供する。    【解決手段】  映像信号を選択的に出力する入力切替部１の入力側に入力端子１１ａ及び１１ｂを接続し、出力側に信号検出部２ａ及び２ｂを接続する。この信号検出部２ａ及び２ｂにはＡ／Ｄ映像処理部３ａ及び３ｂを接続し、Ａ／Ｄ映像処理部３ａ及び３ｂには画像処理部４ａ及び４ｂを接続する。画像処理部４ａ及び４ｂと表示部６との間には、ＯＳＤ部９が接続されＯＳＤデータと映像信号を合成する画像合成切替部５を設ける。そして、入力切替部１、信号検出部２ａ及び２ｂ、Ａ／Ｄ映像処理部３ａ及び３ｂ、画像処理部４ａ及び４ｂ、画像合成切替部５、表示部６、ＯＳＤ部９並びに操作部８に接続され、Ａ／Ｄ映像処理部３ａ及び３ｂ、画像処理部４ａ及び４ｂ並びに表示部６の設定を行うためのテーブルデータが記憶されている制御部７を設ける。【選択図】    図１
2005215557.tif 000002
【特許請求の範囲】
【請求項１】
第１の映像信号に基づく映像と第２の映像信号に基づく映像とを切替ながら表示する表示装置において、表示部と、前記第１の映像信号を判別及び処理して第１の映像データを出力する第１の信号処理部と、前記第２の映像信号を判別及び処理して第２の映像データを出力する第２の信号処理部と、前記第１及び第２の映像データが入力されその一方を前記表示部に出力する画像切替部と、を有することを特徴とする表示装置。
【請求項２】
前記第１の信号処理部及び前記第２の信号処理部は同時に動作することを特徴とする請求項１に記載の表示装置。
【請求項３】
前記第１の映像信号に基づく映像を表示するときにも、前記第２の信号処理部において前記第２の映像信号が判別され、この判別結果に基づいて前記第２の信号処理部の処理条件が設定されることを特徴とする請求項１に記載の表示装置。
【請求項４】
前記第２の信号処理部は、前記画像切替部が前記第１の映像データを出力しているときに前記第２の映像信号を判別し、この判別結果に基づいて処理条件が設定されることを特徴とする請求項１に記載の表示装置。
【請求項５】
前記映像切替部から前記表示部に出力する映像データを前記第１の映像データから前記第２の映像データに切替えて前記表示部に前記第２の映像信号に基づく映像を表示するとき、前記画像切替部が前記映像データの切替を行う前に、前記第２の信号処理部において前記第２の映像信号が判別され、この判別結果に基づき前記第２の信号処理部の処理条件が設定されることを特徴とする請求項１に記載の表示装置。
【請求項６】
前記第１及び第２の映像信号が入力され前記第１の映像信号を前記第１の信号処理部に出力すると共に前記第２の映像信号を前記第２の信号処理部に出力する入力信号切替部と、を有し、前記入力信号切替部は、先に前記第１の映像信号に基づく映像を表示するときは、先ず前記第１の映像信号を前記第１の信号処理部に出力し前記画像切替部から前記第１の映像データが前記表示部に出力された後に前記第２の映像信号を前記第２の信号処理部に出力することを特徴とする請求項３乃至５のいずれか１項に記載の表示装置。
【請求項７】
前記第１及び第２の映像信号は３以上の映像信号の中から選択されたものであり、前記映像信号の中から前記第１の映像信号及び前記第２の映像信号を選択する入力信号選択部を有することを特徴とする請求項１乃至６のいずれか１項に記載の表示装置。
【請求項８】
前記入力信号選択部において前記第１及び第２の映像信号を選択するための情報が記憶された記憶部が設けられていることを特徴とする請求項７に記載の表示装置。
【請求項９】
第１の映像信号に基づく映像と第２の映像信号に基づく映像とを切替ながら表示する表示方法であって、前記第１の映像信号を判別及び処理して第１の映像データにする第１の信号処理工程と、前記第２の映像信号を判別及び処理して第２の映像データにする第２の信号処理工程と、前記第１の映像データ又は前記第２の映像データを選択して表示部に出力する工程と、を有し、前記第１の信号処理工程と前記第２の信号処理工程とを並行して行うことを特徴とする表示方法。
【請求項１０】
第１の映像信号に基づく映像と第２の映像信号に基づく映像とを切替ながら表示する表示方法であって、前記第１の映像信号を判別及び処理して第１の映像データにする第１の信号処理工程と、前記第２の映像信号を判別及び処理して第２の映像データにする第２の信号処理工程と、前記第１の映像データ又は前記第２の映像データを選択して表示部に出力する工程と、を有し、先に前記第１の映像信号に基づく映像を表示する場合は、先ず前記第１の信号処理工程を行い、前記第１の映像データが前記表示部に出力された後に前記第２の信号処理工程を開始し、先に前記第２の映像信号に基づく映像を表示する場合は、先ず前記第２の信号処理工程を行い、前記第２の映像データが前記表示部に出力された後に前記第１の信号処理工程を開始することを特徴とする表示方法。
【請求項１１】
３以上の映像信号の中から前記第１及び第２の映像信号を選択して、前記第１の映像信号を前記第１の信号処理部に出力し、前記第２の映像信号を前記第２の信号処理部に出力する工程を有することを特徴とする請求項９又は１０に記載の表示方法。
【発明の詳細な説明】
【技術分野】
【０００１】
本発明は、入力された映像信号に基づき映像を表示する表示装置及び表示方法に関し、特に、複数の映像を切替ながら表示する表示装置及び表示方法に関する。
【背景技術】
【０００２】
従来、複数の映像信号が入力され、その中から１つの映像信号を選択して表示する表示装置においては、選択する映像信号を切替える場合、画像の乱れを抑えて、表示されている映像をスムーズに切替えるために、信号判別処理、及び２つの映像信号の同期位相を合わせたり、フレームレート変替を行ってタイミングを揃えたりする各種設定処理行っており、新たな映像を表示するまでに１乃至２秒程度の時間を要している。例えば、ボーリング場に設置されている表示装置は、通常はコマーシャル又は娯楽映像を表示しており、プレイヤーがボールを投入した後にスコア表示に切替わるが、その切替わるタイミングが遅く、観察者が違和感を覚えるという問題がある。
【０００３】
図６は従来の表示装置の構成を示すブロック図である。図６に示すように、従来の表示装置１００には、入力された映像信号を選択して出力する入力切替部１０１が設けられており、この入力切替部１０１の入力側には、２つの入力端子１１１ａ及び１１１ｂが接続されている。一方、入力切替部１０１の出力側には、映像信号の検出及び処理を行う信号検出部１０２、Ａ／Ｄ映像処理部１０３及び画像処理部１０４が、この順に接続されている。また、画像処理部１０４と映像を表示する表示部１０６との間には画像合成部１０５が設けられており、この画像合成部１０５には、設定値等を表示部１０６の一部に表示するＯＳＤ（On Screen Display）部１０９が接続されている。
【０００４】
更に、この表示装置１００には、入力切替部１０１、信号検出部１０２、Ａ／Ｄ映像処理部１０３、画像処理部１０４、画像合成部１０５、表示部１０６、ＯＳＤ部１０９及び映像切替指示等が入力される操作部１０８に接続され、Ａ／Ｄ映像処理部１０３、画像処理部１０４及びに表示部１０６の設定を行うためのテーブルデータが記憶されている制御部１０７が設けられている。この制御部１０７は、操作部１０８からの切替指示信号に基づき、入力切替部１０１に映像選択信号を出力すると共に、信号検出部１０２から出力された信号判別結果に基づいてＡ／Ｄ映像処理部１０３、画像処理部１０４及び表示部１０６に設定データを出力する。また、各種設定を行う際には、ＯＳＤ部１０９に、操作部１０８に入力された情報に対応するＯＳＤデータの出力を指示する。
【０００５】
次に、従来の表示装置１００の表示方法について説明する。図７は従来の表示装置１００の表示方法を示すフローチャート図である。従来の表示装置１００においては、入力端子１１１ａに映像信号Ａが、入力端子１１１ｂに映像信号Ｂが入力される。これらの映像信号Ａ及びＢは、共に入力切替部１０１に入力される。そして、映像信号Ａを表示する場合は、図７に示すように、先ず、制御部１０７から入力切替部１０１に、映像信号Ａの選択を指示する映像選択信号が出力される（ステップＳ１０１）。これにより、入力切替部１０１において、映像信号Ａが選択され、信号検出部１０２に出力される（ステップＳ１０２）。
【０００６】
信号検出部１０２においては、入力されたアナログの映像信号Ａにおける垂直同期信号及び水平同期信号が検出され、この水平同期信号を基準にしてサンプリングクロック及びデータクロック信号が生成される共に、垂直同期信号及び水平同期信号の有無、極性並びに周波数から、映像信号方式が判別される（ステップＳ１０３）。映像信号Ａの判別結果は制御部１０７に出力され、制御部１０７からは、この判別結果に応じた設定データがＡ／Ｄ映像処理部１０３に出力される（ステップＳ１０４）。そして、Ａ／Ｄ映像処理部１０３では、映像信号Ａは、制御部１０７から出力された設定データに基づいてそのレベルが調節されると共に、アナログからディジタルに変換される（ステップＳ１０５）。
【０００７】
次に、制御部１０７から画像処理部１０４に、前述の判別結果に応じた設定データが出力される（ステップＳ１０６）。そして、画像処理部１０４において、映像信号Ａの画像構成と表示部１０６の画像構成とが同じになるように、制御部１０７から出力された設定データに基づき、映像信号Ａの画像フォーマットが変換される（ステップＳ１０７）。上述如く信号処理が施された映像信号Ａは、画像合成部１０５に入力され、ＯＳＤ部１０９から出力されたＯＳＤデータと合成された後、映像データとして表示部１０６に出力される（ステップＳ１０８）。次に、制御部１０７から表示部１０６に対して設定データが出力され（ステップＳ１０９）、これにより、表示部１０６に映像信号Ａによる映像が表示される（ステップＳ１１０）。
【０００８】
その後、操作部１０８において映像の切替が検出されると、即ち、入力切替が発生すると、制御部１０７から入力切替部１０１に対して映像信号Ｂを選択するように映像選択信号が出力される。そして、信号検出部１０２において信号判別が行われ、この判別結果を基に制御部１０７から、Ａ／Ｄ映像処理部１０３、画像処理部１０４、表示部１０６に設定データが出力され、Ａ／Ｄ映像処理部１０３及び画像処理部１０４で信号処理が実施される。即ち、入力切替が発生する度に、述のステップＳ１０１乃至ステップＳ１１０が繰り返される。
【０００９】
このため、従来の表示装置１００においては、入力切替後に新しい映像を表示するまでに時間がかかる。特に、信号検出部１０２における信号判別処理、及び、制御部１０７において一般にアドレスが１２８乃至２５６程度存在する設定ビットの多いＡ／Ｄ映像処理部１０３及び画像処理部１０５の設定に要する時間が、処理時間を長くする原因となっている。
【００１０】
従来、新しい画像を表示するまでの時間を短縮する表示方法が提案されている（例えば、特許文献１参照）。通常、表示装置においては、映像信号の切替処理を行っている間は、映像信号にブランキングを施し、ノイズ等を含む映像が表示部に表示されないようにしている。そこで、特許文献１に記載の表示装置は、各処理が終了して完全な映像信号が出力される前の段階からブランキングを徐々に解除し、多少の乱れがある映像を、輝度を低くして表示することにより、観察者が映像切替におけるタイミングの遅れを感じないようにしている。
【００１１】
【特許文献１】特開２００２−２１８３４９号公報
【発明の開示】
【発明が解決しようとする課題】
【００１２】
しかしながら、前述の特許文献１に記載の表示装置には、以下に示す問題点がある。特許文献１の表示装置は、処理が完了する前から映像を表示し始めることにより、新たな画像を表示するまでの時間を短縮しているにすぎず、処理時間は短縮されていない。このため、新たな映像が完全に表示されるまでの時間は従来の表示装置と同等である。
【００１３】
本発明はかかる問題点に鑑みてなされたものであって、映像を短時間で切替えることができる表示装置及び表示方法を提供することを目的とする。
【課題を解決するための手段】
【００１４】
本願第１発明に係る表示装置は、第１の映像信号に基づく映像と第２の映像信号に基づく映像とを切替ながら表示する表示装置において、表示部と、前記第１の映像信号を判別及び処理して第１の映像データを出力する第１の信号処理部と、前記第２の映像信号を判別及び処理して第２の映像データを出力する第２の信号処理部と、前記第１及び第２の映像データが入力されその一方を前記表示部に出力する画像切替部と、を有することを特徴とする。
【００１５】
本発明においては、第１の映像信号の判別及び処理を行う第１の信号処理部と、第２の映像信号の判別及び処理を行う第２の信号処理部とを設けている。これにより、例えば、第１の映像信号に基づく映像が表示されている間に、第２の映像信号の判別及び処理を行うことができるため、従来の表示装置よりも短時間で映像を切替えることができる。
【００１６】
前記表示装置は、前記第１の信号処理部及び前記第２の信号処理部を同時に動作させることができる。これにより、第１及び第２の映像信号の判別及び処理を並行して行うことができるため、画像切替部には表示の有無に拘わらず第１及び第２の映像データの両方が入力される。その結果、画像切替部から出力される映像データを変更するだけで、表示する映像を切替えることができるため、従来の表示装置に比べて、映像切替に要する時間を、大幅に短縮することができる。
【００１７】
また、前記第１の映像信号に基づく映像を表示するときにも、前記第２の信号処理部において前記第２の映像信号が判別され、この判別結果に基づいて前記第２の信号処理部の処理条件が設定されることが好ましい。又は、前記第２の信号処理部は、前記画像切替部が前記第１の映像データを出力しているときに前記第２の映像信号を判別し、この判別結果に基づいて処理条件が設定されることが好ましい。又は、前記映像切替部から前記表示部に出力する映像データを前記第１の映像データから前記第２の映像データに切替えて前記表示部に前記第２の映像信号に基づく映像を表示するとき、前記画像切替部が前記映像データの切替を行う前に、前記第２の信号処理部において、前記第２の映像信号が判別され、この判別結果に基づき前記第２の信号処理部の処理条件が設定されてもよい。このように、表示部に表示されない映像信号についても、予め、判別を行い、この判別結果基づいて映像信号を処理するための条件設定を行っておくことにより、映像を切替える際は、設定された条件で信号処理を行うだけですむため、短時間で新たな画像を表示することができる。
【００１８】
前記表示装置は、更に、前記第１及び第２の映像信号が入力され前記第１の映像信号を前記第１の信号処理部に出力すると共に前記第２の映像信号を前記第２の信号処理部に出力する入力信号切替部と、を有していてもよい。この場合、前記入力信号切替部は、例えば、先に前記第１の映像信号に基づく映像を表示するときは、先ず前記第１の映像信号を前記第１の信号処理部に出力し前記画像切替部から前記第１の映像データが前記表示部に出力された後に前記第２の映像信号を前記第２の信号処理部に出力し、また、先に前記第２の映像信号に基づく映像を表示するときは、先ず前記第２の映像信号を前記第２の信号処理部に出力し前記画像切替部から前記第２の映像データが前記表示部に出力された後に前記第１の映像信号を前記第１の信号処理部に出力する。これにより、映像切替に要する時間を、従来の表示装置よりも大幅に短縮することができる。
【００１９】
また、前記表示装置においては、前記第１及び第２の映像信号を３以上の映像信号の中から選択する場合、前記映像信号の中から前記第１の映像信号及び前記第２の映像信号を選択する入力信号選択部が設けられていることが好ましい。これにより、３以上の映像信号が入力される場合においても、その中から２つの映像を選択して短時間で映像の切替を行うことができる。
【００２０】
更に、この表示装置においては、前記入力信号選択部において前記第１及び第２の映像信号を選択するための情報が記憶された記憶部が設けられていることが好ましい。表示部に表示する映像を予め選択して、前記記憶部に記憶しておくことにより、操作性が向上する。
【００２１】
本願第２発明に係る表示方法は、第１の映像信号に基づく映像と第２の映像信号に基づく映像とを切替ながら表示する表示方法であって、前記第１の映像信号を判別及び処理して第１の映像データにする第１の信号処理工程と、前記第２の映像信号を判別及び処理して第２の映像データにする第２の信号処理工程と、前記第１の映像データ又は前記第２の映像データを選択して表示部に出力する工程と、を有し、前記第１の信号処理工程と前記第２の信号処理工程とを並行して行うことを特徴とする。本発明においては、表示されていない映像信号についても並行して信号処理を行うため、映像を切替える際は映像データを選択のみ行えばよい。その結果、短時間で新たな映像を表示することができる。
【００２２】
本願第３発明に係る表示方法は、第１の映像信号に基づく映像と第２の映像信号に基づく映像とを切替ながら表示する表示方法であって、前記第１の映像信号を判別及び処理して第１の映像データにする第１の信号処理工程と、前記第２の映像信号を判別及び処理して第２の映像データにする第２の信号処理工程と、前記第１の映像データ又は前記第２の映像データを選択して表示部に出力する工程と、を有し、先に前記第１の映像信号に基づく映像を表示する場合は、先ず前記第１の信号処理工程を行って前記第１の映像データが前記表示部に出力された後に前記第２の信号処理工程を開始し、先に前記第２の映像信号に基づく映像を表示する場合は、先ず前記第２の信号処理工程を行って前記第２の映像データが前記表示部に出力された後に前記第１の信号処理工程を開始することを特徴とする。本発明においては、先ず、表示される映像信号の処理を行い、その映像信号に基づく映像が表示されている間に、表示されない映像信号の処理を行うため、従来の表示方法に比べて映像の切替時間を短縮することができる。
【００２３】
前記表示方法においては、３以上の映像信号の中から前記第１及び第２の映像信号を選択して、前記第１の映像信号を前記第１の信号処理部に出力し、前記第２の映像信号を前記第２の信号処理部に出力する工程を有する。これにより、３以上の映像信号が入力される表示装置においても、表示する２つの映像を選択することができ、短時間で表示映像の切替を行うことができる。
【発明の効果】
【００２４】
本発明によれば、第１の映像信号の判別及び処理を行う第１の信号処理部と、第２の映像信号の判別及び処理を行う第２の信号処理部とを設けることにより、一方の映像信号に基づく映像が表示されている間に、予め、表示されていない他方の映像信号の信号判別及び処理条件の設定を行うことができるため、映像切替に要する時間を、従来の表示装置よりも短くすることができる。
【発明を実施するための最良の形態】
【００２５】
以下、本発明の実施の形態に係る表示装置について、添付の図面を参照して具体的に説明する。図１は本実施形態の表示装置の構成を示すブロック図である。図１に示すように、本実施形態の表示装置１０には、入力された映像信号を選択的に出力する入力切替部１が設けられており、この入力切替部１の入力側には、入力端子１１ａ及び１１ｂが接続されている。一方、入力切替部１の出力側には、映像信号の垂直同期信号及び水平同期信号を検出し、検出された水平同期信号を基準にしてサンプリングクロック及びデータクロック信号を生成すると共に、垂直同期信号及び水平同期信号の有無、極性並びに周波数から、例えば、ＴＶ信号である場合はＮＴＳＣ（national television system committee）又はＰＡＬ（phase alternating line）等、ＰＣ信号である場合はＶＧＡ（video graphics array）又はＸＧＡ（extended video graphics array）等の信号方式を判別する信号検出部２ａ及び２ｂが接続されている。
【００２６】
また、信号検出部２ａ及び２ｂには、夫々、入力されたアナログ映像信号をディジタル化すると共に、映像信号のレベル調整を行うＡ／Ｄ映像処理部３ａ及び３ｂが接続されており、このＡ／Ｄ映像処理部３ａ及び３ｂには、アナログ映像信号の画像構成と表示部６の画像構成とが異なる場合に、映像信号の画像構成を画像フォーマット変換して表示部６の画像構成にする画像処理部４ａ及び４ｂが夫々接続されている。即ち、本実施形態の表示装置１０には、入力される映像信号の数に対応して、入力された映像信号の検出及び処理を行う信号検出部、Ａ／Ｄ信号処理部及び画像処理部が２系統設けられている。
【００２７】
更に、本実施形態の表示装置１０においては、画像処理部４ａ及び４ｂと映像を表示する表示部６との間に、入力された複数の映像信号の中から表示部６で表示する映像信号を選択する画像合成切替部５が接続されている。この画像合成切替部５には、操作者が設定を行う際にその設定値を表示部６の一部に表示するＯＳＤ部９が接続されており、このＯＳＤ部９から出力されたＯＳＤデータは、画像合成切替部５において選択された映像信号と合成され、映像データとして表示部６に出力される。
【００２８】
更にまた、本実施形態の表示装置１０には、入力切替部１、信号検出部２ａ及び２ｂ、Ａ／Ｄ映像処理部３ａ及び３ｂ、画像処理部４ａ及び４ｂ、画像合成切替部５、表示部６、ＯＳＤ部９、並びに映像切替指示等が入力される操作部８に接続され、Ａ／Ｄ映像処理部３ａ及び３ｂ、画像処理部４ａ及び４ｂ、並びに表示部６の設定を行うためのテーブルデータが記憶されている制御部７が設けられている。この制御部７は、操作部８からの切替指示信号に基づき、入力切替部１及び映像合成切替部５に映像選択データを出力すると共に、信号検出部２ａ及び２ｂから出力された信号判別結果に基づいてＡ／Ｄ映像処理部３ａ及び３ｂ、画像処理部４ａ及び４ｂ、並びに表示部６に設定データを出力する。また、各種設定を行う際には、ＯＳＤ部９に、操作部８への入力データに対応するＯＳＤデータの出力を指示する。
【００２９】
次に、本実施形態の表示装置１０の動作、即ち、本実施形態の表示装置１０の表示方法について、表示映像を映像信号Ａによる映像から映像信号Ｂによる映像へと切替える場合を例に説明する。図２は本実施形態の表示装置１０の表示方法を示すフローチャート図である。本実施形態の表示装置１０においては、映像入力端子１１ａには映像信号Ａが、映像入力端子１１ｂには映像信号Ｂが入力される。これらの映像信号Ａ及びＢは、共に入力切替部１に入力される。そして、映像信号Ａを表示する場合は、図２に示すように、先ず、制御部７から入力切替部１に、映像信号Ａの選択を指示する映像選択信号が出力される（ステップＳ１）。これにより、入力切替部１においては、映像信号Ａが選択され、信号検出部２ａに出力される（ステップＳ２）。
【００３０】
信号検出部２ａにおいては、入力されたアナログの映像信号Ａにおける垂直同期信号及び水平同期信号が検出され、この水平同期信号を基準にしてサンプリングクロック及びデータクロック信号が生成される共に、垂直同期信号及び水平同期信号の有無、極性並びに周波数から、映像信号方式が判別される（ステップＳ３）。映像信号Ａの判別結果は制御部７に出力され、制御部７からは、この判別結果に応じた設定データがＡ／Ｄ映像処理部３ａに出力される（ステップＳ４）。そして、Ａ／Ｄ映像処理部３ａでは、制御部７から出力された設定データに基づいて、映像信号Ａのレベルが調節されると共に、映像信号Ａがアナログからディジタルに変換される（ステップＳ５）。なお、Ａ／Ｄ映像処理部３ａにおいて調整される信号レベルの値は、ＮＴＳＣ、ＰＡＬ、ＶＧＡ及びＸＧＡ等の信号方式毎に予め決められている。
【００３１】
次に、制御部７から画像処理部４ａに、前述の判別結果に応じた設定データが出力される（ステップＳ６）。そして、画像処理部４ａにおいて、映像信号Ａの画像構成と表示部６の画像構成とが同じになるように、制御部７から出力された設定データに基づき、映像信号Ａの画像フォーマットが変換される（ステップＳ７）。
【００３２】
上述如く信号処理が施された映像信号Ａは、画像合成切替部５に入力される。このとき、制御部７から画像合成切替部５には、映像信号Ａの選択を指示する映像選択信号が出力される（ステップＳ８）。この映像選択信号に基づき、画像合成切替部５において、映像信号ＡとＯＳＤ部９から出力されたＯＳＤデータとが合成され、映像データとして表示部６に出力される（ステップＳ９）。更に、制御部７から表示部６に対して設定データが出力され（ステップＳ１０）、これにより、表示部６に映像信号Ａによる映像が表示される（ステップＳ１１）。
【００３３】
一方、表示部６に映像信号Ａによる映像が表示されているときに、入力切替部１において、映像信号Ｂが選択され、信号検出部２ｂに出力される（ステップＳ１２）。信号検出部２ｂに入力された映像信号Ｂは、垂直同期信号及び水平同期信号が検出され、この水平同期信号を基準にしてサンプリングクロック信号及びデータクロック信号が生成されると共に、垂直同期信号及び水平同期信号の有無、極性並びに周波数から、信号方式が判別される（ステップＳ１３）。この判別結果は制御部７に出力され、制御部７からは、この判別結果に応じた設定データが、Ａ／Ｄ映像処理部３ｂに出力される（ステップＳ１４）。そして、映像信号Ｂは、Ａ／Ｄ映像処理部３ｂにおいて、制御部７から出力された設定データに基づいて、レベル調整されると共に、アナログからディジタルに変換される（ステップＳ１５）。
【００３４】
次に、制御部７から前述の判別結果に応じた設定データが、画像処理部４ｂに出力される（ステップＳ１６）。そして、映像信号Ｂは、画像処理部４ｂにおいて、映像信号Ｂの画像構成と表示部６の画像構成とが同じになるように、制御部７から出力された設定データに基づき、画像フォーマット変換される（ステップＳ１７）。そして、上述の信号処理が施された映像信号Ｂは、画像合成切替部５に入力される。このとき、画像合成切替部５は、制御部７から映像信号Ａを選択するように指示されているため、映像信号Ｂは表示部６に出力されない。
【００３５】
その後、操作部８において映像の切替が検出されると、即ち、入力切替が発生すると、制御部７から画像合成切替部５に対して映像信号Ｂを選択するように映像選択信号が出力される（ステップＳ１８）。これにより、画像合成切替部５は、映像信号Ｂを選択し、この選択された映像信号ＢとＯＳＤ部９から出力されたＯＳＤデータとを合成し、映像データとして表示部６に出力する（ステップＳ１９）。更に、制御部７から表示部６へ映像信号Ｂの判別結果に基づく設定データが出力される（ステップＳ２０）。これにより、表示部６には、映像信号Ａによる映像に替わって、映像信号Ｂによる映像が表示される。
【００３６】
このように、本実施形態の表示装置１０においては、映像信号Ａの処理を行う信号検出部２ａ、Ａ／Ｄ映像処理部３ａ及び画像処理部４ａと、映像信号Ｂの処理を行う信号検出部２ｂ、Ａ／Ｄ映像処理部３ｂ及び画像処理部４ｂとが設けられており、この２系統が夫々独立して動作する。また、制御部７は、信号検出部２ａ及び２ｂ、Ａ／Ｄ映像処理部３ａ及び３ｂ、映像処理部４ａ及び４ｂを、夫々個別に設定することができる。そこで、本実施形態の表示装置１０は、表示部６に映像信号Ａが入力されている間、即ち、表示部６に映像信号Ａによる映像が表示されている間に、信号検出部２ｂ、Ａ／Ｄ映像処理部３ｂ及び映像処理部４ｂを動作させて、映像信号Ｂの信号判定及び信号処理を行う。これにより、表示部６で表示する映像を切替える際は、画像合成切替部５において、既に信号処理が施されている映像信号Ｂを選択し、ＯＳＤデータと合成するだけであるため、表示部６に新たな映像を表示するまでの時間を大幅に短縮することができる。
【００３７】
アナログ信号の種類及び、各部に信号が入力されるタイミング等によって、アナログ信号の判別及び各種信号処理に要する時間は異なるが、一般に、信号判別及び信号処理には夫々１秒程度かかる。このため、従来の表示装置では新たな画像を表示するまでに、１乃至２秒程度要していた。一方、本実施形態の表示装置１０においては、信号判別及び信号処理を入力切替が発生する前に実施しておくため、新たな映像を表示するまでの時間を０．１乃至０．２秒程度に短縮することができる。なお、これにより、この表示装置１０を、例えば、ボーリング場等のように、娯楽映像又は宣伝映像とスコア表示とを切替ながら表示するような場合において、観察者の違和感を軽減することができる。
【００３８】
なお、本実施形態の表示装置１０においては、Ａ／Ｄ映像処理部３ａ及び３ｂ並びに画像処理部４ａ及び４ｂ内に、設定データを記憶する不揮発性の設定データ記憶部を設けることにより、Ａ／Ｄ映像処理部３ａ及び３ｂ並びに画像処理部４ａ及び４ｂの設定が完了した後、入力切替が発生するまでの間、例えば、映像信号Ａに基づく映像が表示されているのであれば、入力切替部１から信号検出部２ｂへの映像信号Ｂの出力を止め、映像信号Ｂに基づく映像が表示されているのであれば、入力切替部１から信号検出部２ａへの映像信号Ａの出力を止めることができる。即ち、Ａ／Ｄ映像処理部３ａ及び３ｂ並びに画像処理部４ａ及び４ｂの設定が完了した後、入力切替が発生するまでの間、表示されない映像信号を処理する各処理部をＯＦＦにすることができる。これにより、消費電力を低減することができる。但し、入力切替発生後、信号検出部２ａ及び２ｂにおいて、新たに表示する映像信号が、既に設定された信号と異なる方式の信号、水平同期信号又は垂直同期信号が入力されない無信号、及び周波数が対応範囲外であると判断された場合は、入力切替部１からＡ／Ｄ映像処理部３ａ又は３ｂへの出力を中止するか、又は画像切替部５から表示部６への映像データの出力を中止するミュート処理を行う。また、入力切替発生後、新たに表示する映像信号が、表示装置１０の対応範囲内ではあるが、設定時の信号方式と異なる場合は、再度、図２に示すステップＳ１２乃至Ｓ２１を行う。
【００３９】
また、信号検出部２ａ、Ａ／Ｄ映像処理部３ａ及び画像処理部４ａ、並びに信号検出部２ｂ、Ａ／Ｄ映像処理部３ｂ及び画像処理部４ｂを常時ＯＮにしておく場合は、入力切替部１を設けずに、入力端子１１ａを信号検出部２ａに接続し、入力端子１１ｂを信号検出部２ｂに接続してもよい。その場合、映像信号Ａの信号処理と、映像信号Ｂの信号処理とが並行して実施され、映像信号Ａ及び映像信号Ｂの両方が画像合成部５に入力される。そして、画像合成切替部５において、制御部７から出力された映像選択信号に基づき、映像信号Ａ又は映像信号Ｂが選択され、表示部６に映像信号Ａ又は映像信号Ｂによる映像が表示される。このような構成の表示装置においても、前述の第１の実施形態の表示装置１０と同様に、予め、映像信号Ａ及びＢの両方の信号処理が実施されているため、表示映像を切替える際は、画像処理部５において映像信号Ａ又は映像信号Ｂを選択し、ＯＳＤデータと合成するだけであるため、短時間で新たな映像を表示することができる。
【００４０】
更に、本実施形態の表示装置１０には、ＯＳＤ部９が設けられているが、本発明はこれに限定されるものではなく、表示部６にＯＳＤを表示する必要がない場合は、ＯＳＤ部９を設けなくてもよい。その場合、画像合成切替部５においては、表示部６に出力される映像信号の選択のみが行われる。
【００４１】
次に、本発明の第２の実施形態に係る表示装置について説明する。図３は本実施形態の表示装置の構成を示すブロック図である。なお、図３に示す構成要素のうち、図１に示す第１の実施形態の表示装置１０の構成要素と同じものには同じ符号を付し、その詳細な説明を省略する。図３に示すように、本実施形態の表示装置２０は、入力切替部２１に、夫々異なるｎ（ｎは３以上の自然数）種の映像信号が入力されるｎ個の入力端子が接続されている。一方、入力切替部１の出力側には、信号検出部２ａ及び２ｂが接続されており、この信号検出部２ａ及び２ｂには、夫々、Ａ／Ｄ映像処理部３ａ及び３ｂが接続されている。そして、このＡ／Ｄ映像処理部３ａ及び３ｂには、画像処理部４ａ及び４ｂが夫々接続されている。即ち、本実施形態の表示装置２０には、入力された映像信号の検出及び処理を行う信号検出部、Ａ／Ｄ信号処理部及び画像処理部が２系統設けられている。
【００４２】
更に、本実施形態の表示装置２０においては、画像処理部４ａ及び４ｂと映像を表示する表示部６との間に、画像合成切替部５が設けられており、この画像合成切替部５にはＯＳＤ部９が接続されている。更にまた、本実施形態の表示装置１０の制御部７には、入力切替部１、信号検出部２ａ及び２ｂ、Ａ／Ｄ映像処理部３ａ及び３ｂ、画像処理部４ａ及び４ｂ、画像合成切替部５、表示部６、操作部８、ＯＳＤ部９に加えて、操作部８に入力された設定データを記憶する不揮発性メモリ２２と、現在の設定を表示する補助表示部２３とが接続されている。この補助表示部２３としては、例えば、ＬＥＤ（Light Emitting Diode：発光ダイオード）、ＬＣＤ（Liquid Crystal Display：液晶表示装置）及びＦＩＰ（Fluorescent Indicator Panel：蛍光表示パネル）等を使用することができる。
【００４３】
次に、本実施形態の表示装置２０の動作、即ち、表示装置２０の表示方法について説明する。本実施形態の表示装置２０のように、信号処理系統の数よりも入力される映像信号の数の方が多い場合は、第１乃至第ｎ映像信号の中から表示を行う映像信号を、予め指定しておく必要がある。例えば、第１映像信号を信号検出部２ａ、Ａ／Ｄ映像処理部３ａ及び画像処理部４ａで処理し、第２映像信号を信号検出部２ｂ、Ａ／Ｄ映像処理部３ｂ及び画像処理部４ｂで処理したい場合は、操作部８において、「設定入力１」に「入力１」を、「設定入力２」に「入力２」を入力する。このとき、操作部８に入力された映像指定情報は、制御部７を経由して不揮発性メモリ２２に記憶される。そして、この映像指定情報は、制御部７から映像選択信号として入力切替部２１及び画像合成切替部５に出力される。
【００４４】
本実施形態の表示装置２０においては、この映像指定情報入力時に、ＯＳＤ機能を利用することができる。図４はＯＳＤの表示例を示す模式図である。ＯＳＤ機能を利用した場合、操作部８に入力された情報は、制御部７を経由してＯＳＤ部９に入力され、ＯＳＤ部９からＯＳＤデータとして画像合成切替部５に出力される。そして、このＯＳＤデータは、画像合成切替部５において映像信号と合成され、図４に示すように、表示部６に表示される。このように、映像指定情報入力時にＯＳＤを利用すると、入力した内容を容易に確認することができる。
【００４５】
また、映像を表示する際は、不揮発性メモリ２２に記憶された映像指定情報を基に、制御部７から映像選択信号が出力される。そして、入力切替部２１では、ｎ種の映像信号の中から映像選択信号により指定された２つの映像信号、例えば、第１映像信号及び第２映像信号が選択され、信号検出部２ａ及び２ｂに夫々出力される。なお、本実施形態の表示装置２０における映像切替方法は、前述の第１の実施形態の表示装置１０と同様である。
【００４６】
更に、本実施形態の表示装置２０においては、補助表示部２３に現在選択されている映像信号及び信号処理モード等を、常時表示しておくことができる。図５は本実施形態の表示装置２０の補助表示部２３を示す模式図である。図５に示すように、本実施形態の表示装置２０においては、補助表示部２３として複数個のＬＥＤ２４が設けられており、このＬＥＤ２４の点灯、消灯、又は発色の違いにより、「短時間入力切替モード」のＯＮ／ＯＦＦ、「設定入力１」に入力されている映像信号及び「設定入力２」に入力されている映像信号を表示することができる。これにより、操作者が容易に現在の状態を知ることができる。
【図面の簡単な説明】
【００４７】
【図１】本発明の第１の実施形態の表示装置の構成を示すブロック図である。
【図２】本実施形態の表示装置１０の表示方法を示すフローチャート図である。
【図３】本発明の第２の実施形態の表示装置の構成を示すブロック図である。
【図４】本発明の第２の実施形態の表示装置２０におけるＯＳＤの表示例を示す模式図である。
【図５】本発明の第２の実施形態の表示装置２０の補助表示部２３であるＬＥＤを示す模式図である。
【図６】従来の表示装置の構成を示すブロック図である。
【図７】従来の表示装置の表示方法を示すフローチャート図である。
【符号の説明】
【００４８】
１、２１、１０１；入力切替部
２ａ、２ｂ、１０２；信号検出部
３ａ、３ｂ、１０３；Ａ／Ｄ映像処理部
４ａ、４ｂ、１０４；画像処理部
５；画像合成切替部
６、１０６；表示部
７、１０７；制御部
８、１０８；操作部
９、１０９；ＯＳＤ部
１０、２０、１００；表示装置
１１、１１ａ、１１ｂ、１１１ａ、１１１ｂ；入力端子
２２；不揮発性メモリ
２３；補助表示部
２４；ＬＥＤ
１０５；画像合成部
【図１】
2005215557.tif 000003
【図２】
2005215557.tif 000004
【図３】
2005215557.tif 000005
【図４】
2005215557.tif 000006
【図５】
2005215557.tif 000007
【図６】
2005215557.tif 000008
【図７】
2005215557.tif 000009